(57)【要約】      （修正有）【課題】作業者の存在の視認性を高め、ひいては注意喚起力を高めたロープ巻取り器と、それらを用いた墜落防止用安全帯を提供する。【解決手段】ロープ巻取り器１０は、一対のケース体１１、１２と、ロープ２を出し入れ自在に収納する巻取りシャフト１３とを備え、巻取りシャフト１３は、一対の支持板１４と、一対の支持板１４を貫通してこれらに対し垂直にのび、一対の支持板１４に対し軸回りに回転可能に支持され、かつ上面の一部に反射部１３１、１３２を備え、反射部１３１、１３２はロープ２を出し入れするたびに回転することで、窓部Ｗ１、Ｗ２を介して現出と消失を繰り返すことを特徴とする。【選択図】図２
0003200814.tif 000002
【実用新案登録請求の範囲】
【請求項１】
間隔を空けて対向する上ケースと下ケースとからなる一対のケース体であって、前記一対のケース体の間にはロープ収納スペースが形成され、前記上ケースは略中央に設けられた孔の上面には透明カバーを、また内面には窓部を備えた窓部材を配設した一対のケース体と、
前記ロープ収納スペースに配設されて、ロープを出し入れ自在に収納する巻取りシャフトと、
を備えるロープ巻取り器であって、
前記巻取りシャフトは、一対の支持板を貫通してこれらに対し垂直にのび、該一対の支持板に対し軸回りに回転可能に支持され、かつ、上面の一部に反射部を備え、
前記反射部は前記ロープを出し入れするたびに回転することで、前記窓部を介して現出と消失を繰り返すことを特徴とするロープ巻取り器。
【請求項２】
前記反射部は、再帰性、屈折性の反射シート、若しくは蓄光性の発光シートのいずれか又はそれらの組み合わせを施したものであることを特徴とする請求項１に記載のロープ巻取り器。
【請求項３】
請求項１又は２に記載のロープ巻取り器を備えた墜落防止用安全帯。
【考案の詳細な説明】
【技術分野】
【０００１】
本考案は、墜落防止用安全帯のロープ巻取り器及びこれを備えた安全帯に関する。
【背景技術】
【０００２】
ビルやマンション等各種建築物、構造物等の建設若しくは組み立てを行うための施工現場や工事現場において、室内や夜間に作業を行う場合は、仮設照明器具が利用される。そして、作業者は、発光材・蛍光材等の反射材を一部に配した衣服を着用し、視認性が確実になるようにしている。これらの衣服は、その一部に蛍光染料・反射染料等による発光布や光反射テープを縫い付け、自己発光あるいは照明器具の光を反射させる等して作業者の存在を、他の作業員に視認させるようにし、作業員の安全を確保しようとするものである。
【０００３】
これらの衣服に関して、種々の発明が提案されている。特許文献１に係る発明は、上半身の覆の前側及び後側に発光性の布状体を別々に取り付けた衣類を提案している。特許文献２に係る発明は、前面、背面および側面の少なくともいずれかに光反射テープが縫い付けられた作業着を提案している。
【先行技術文献】
【特許文献】
【０００４】
【特許文献１】特開平８−１５８１１９号公報
【特許文献２】特開２０００−１７５０７号公報
【考案の概要】
【考案が解決しようとする課題】
【０００５】
しかしながら、特許文献１や２の作業着等は、個々の作業者の身体に合わせて作られたものではなく、大まかにどの体型にも合う大きさに作られている。また、この種の衣服は夜間の暗い場所だけで着用するとは限らず、日中のこともある。即ち、夜間作業のため上述の作業着を着用する建設現場作業員等は昼間などの明るい場所で作業したり着用したりすることも少なからずある。このような明るい場所での作業、仕事時には、発光布や光反射テープは勿論不要であって、衣服のファッション性から判断すると外観体裁が悪く、特に若い世代からは敬遠される。
【０００６】
さらに、室内や夜間に、工事現場で作業をする作業者は、作業に必要な動きを行うため、通常、身体の前面又は背面に配置された反射材の反射面が、照明器具の照射方向に向いているときは他者から視認されるが、照射方向から外れて死角位置に動く場合や手等で反射材が隠れる場合もあり、光に対する反射面が無くなって視認が有効に働かない場合がある。このため、該作業者の存在を他者に視認する機会が失われ、事故につながりかねない。
【０００７】
本考案は、このような問題に鑑み、衣服や作業着ではなく、墜落防止用安全帯に用いるロープ巻取り器の巻取り構造を利用し、作業者の存在の視認性を高め、ひいては注意喚起力を高める安全帯を提案することを課題とする。
【課題を解決するための手段】
【０００８】
本考案に係るロープ巻取り器は、間隔を空けて対向する上ケースと下ケースとからなる一対のケース体であって、一対のケース体の間にはロープ収納スペースが形成され、上ケースは略中央に設けられた孔に、窓部を備えたカバーを配設した一対のケース体と、ロープ収納スペースに配設されて、ロープを出し入れ自在に収納する巻取りシャフトとを備えるロープ巻き取り器であって、巻取りシャフトは、一対の支持板と、該一対の支持板を貫通してこれらに対し垂直にのび、該一対の支持板に対し軸回りに回転可能に支持され、かつ、上面の一部に反射部を備え、反射部はロープを出し入れするたびに回転することで、窓部を介して現出と消失を繰り返すことを特徴とする。なお、反射部は、再帰性、屈折性の反射シート、若しくは蓄光性の発光シートのいずれか又はそれらの組み合わせを施したものとすることができる。
【０００９】
本考案に係る墜落防止用安全帯は、上述したロープ巻取り器を備えることを特徴とする。
【考案の効果】
【００１０】
本考案に係るロープ巻取り器によれば、反射部が、受光光線の照射方向に対して現出と消失を繰り返すように回転するので、反射光が点滅したり、混色したりして、看者に与える認識力は大きくなる。また、複雑な構造ではないため部品点数も少なく、製造コストを低減することができる。
【図面の簡単な説明】
【００１１】
【図１】本考案に係るロープ巻取り器１０を備える安全帯１の全体構成を概略的に示す図である。
【図２】本考案に係るロープ巻取り器１０の構造を簡単に示す分解斜視図である。
【図３】本考案に係るロープ巻取り器１０の平面図である。
【図４】本考案に係るロープ巻取り器１０の点滅作用を模式的に示す図である。
【図５】作業者が本考案に係る安全帯１を取り付けて作業をしている様子を示す図である。
【考案を実施するための最良の形態】
【００１２】
以下、本考案の実施例を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施例に限られるものではない。
【実施例１】
【００１３】
実施例１を図面を参照して詳細に説明する。
【００１４】
図１を参照する。図１は、本考案に係るロープ巻取り器１０を備える安全帯１（以下、安全帯１という）の全体構成を概略的に示す図である。図１に示すとおり、安全帯１は、概して、開閉できるフック３と、取付金具４と、フック３と取付金具４とをつなぐロープ２と、ショックアブゾーバ５と、ロープ巻取り器１０とを備える。
【００１５】
ロープ巻取り器１０について、図２及び３を参照しながら、詳細に説明する。図２は、本考案に係るロープ巻取り器１０の構造を簡単に示す分解斜視図である。ロープ巻取り器１０は、概して、上ケース１１と、下ケース１２と、これらに収納される巻取りシャフト１３と、カバー１６とを備える。上ケース１１と下ケース１２とは間隔を空けて対向する一対のケースであり、両者間に、ロープ収納スペースが設けられ、ここに巻取りシャフト１３が配置される。巻取りシャフト１３は、一対の支持板１４を貫通してこれらに対し垂直にのびて、該一対の支持板１４に対し軸回りに回転可能に固定具１５で固定されて支持される。また、軸周りに渦巻きばね（図に示さない）を備え、軸に巻取り方向のばねの力を作用させるとともに、ロープ２を引き出した長さに保持するラチェット（図に示さない）機構を設けたものである。なお、一対の支持板１４は巻取りシャフト１３を固定するとともに、取付金具４を固定する連結部１４１を備える。上ケース１１は、上面に孔１１０を備え、透明カバー１６が孔１１０を覆うように取り付けられ、さらに孔１１０の内面側には、二箇所（黒塗り）の部分が貫通した窓部材１７を固定される。この二箇所（黒塗り）は窓部Ｗ１、Ｗ２である。
【００１６】
図３を参照する。図３は、本考案に係るロープ巻取り器１０の平面図である。上述したとおり、透明カバー１６は、上ケース１１の上面に孔１１０を覆うように取り付けられている。また、窓部材１７は、窓部Ｗ１、Ｗ２と、それ以外の箇所（ハッチングで示している）として遮光部１７１を備える。なお、透明カバー１６は、薄型プラスチックや薄型ガラスを使用するとよい。窓部材１７はプラスチック等樹脂素材を用いるとよい。
【００１７】
図２を再度参照する。巻取りシャフト１３は天板１３０を備え、天板１３０は、ロープ２の引き出しと巻取りに連動して軸周りに回動する。天板１３０は、一部に反射部１３１、１３２を備える。反射部１３１、１３２は、反射テープ、反射シート、薄い反射板等反射材を配設するとよい。反射材とは、入射した光を光源に向かってそのまま反射するように作られた材料である。反射材の中でも、再帰性、屈折性の反射シート、若しくは蓄光性の発光シートのいずれか又はそれらの組み合わせを施したものとすることができる。さらに、マイクロプリズム反射シートを用いると好適である。マイクロプリズム反射シートを使用すると、上述した透明カバー１６の窓部Ｗ１、Ｗ２を介して入射する光の一部は、窓部Ｗ１、Ｗ２を介して外部に再帰反射する一方、光の他の部分はプリズム層で乱反射されながら、外部へ散乱して放射される。天板１３０の反射部１３１、１３２以外の部分は、黒色等着色するとよい。
【００１８】
図４を参照する。図４は、本考案に係るロープ巻取り器１０の点滅作用を模式的に示す図である。図４においては、便宜上、遮光部１７１と反射部以外の部分をハッチングで示し、反射部１３１、１３２は白抜きで示している。上述したとおり、巻取りシャフト１３は天板１３０を備え、天板１３０は、ロープ２の引き出しと巻取りに連動して軸周りに回動する。また、窓部材１７は、窓部Ｗ１、Ｗ２を備えている。そうすると、図５に示すとおり、天板１３０の一部に備えられた反射部１３１、１３２は、ロープ２の引き出し又は巻取りに連動して軸周りに回動するので、看者は窓部Ｗ１、Ｗ２を介して、反射部１３１、１３２が現出したり消失したりする。すなわち、ロープ巻取り器１０に対して、照明装置Ｌから光が照射されている状態において、反射部１３１、１３２の現出と消失の連続は、看者にはあたかも点滅しているかのように見えるため、視認性、注意喚起力を高めることができるのである。
【００１９】
図５を参照する。図５は、作業者が本考案に係る安全帯を取り付けて作業をしている様子を示す図である。図５に示すように、作業者Ｏは、本考案に係るロープ巻取り器１０を備えた安全帯１を装着している。暗い室内や夜間において、作業場所に照明装置Ｌが配置される。照明装置Ｌから光が投射される中、作業者Ｏが移動すると、ロープ巻取り器１０の反射部１３１、１３２が回動するので、窓部Ｗ１、Ｗ２を介して、照射方向に反射部１３１、１３２が現出したり消失したりすることで、回帰反射が発生したり発生しなかったりする。このような現象が、看者にはあたかも点滅しているかのように見えるため、視認性、注意喚起力を高めることができるのである。
【００２０】
なお、反射材の代替として、蛍光材を用いても同様の効果を得られる。
【００２１】
以上、本考案に係る墜落防止用安全帯に用いられるロープ巻取り器における好ましい実施形態を図示して説明してきたが、本考案の技術的範囲を逸脱することなく種々の変更が可能であることは理解されるであろう。
【産業上の利用可能性】
【００２２】
本考案に係るロープ巻取り器１０を備える安全帯１は、夜間や室内での作業が必要な作業現場に広く利用することができる。
【符号の説明】
【００２３】
１  墜落防止用安全帯
２  ロープ
３  フック
４  取付金具
５  ショックアブゾーバ
１０  ロープ巻取り器
１１  上ケース
１１０  孔
１２  下ケース
１３  巻取りシャフト
１３０  天板
１３１  １３２  反射部
１４  支持板
１５  固定金具
１４１  連結部
１６  透明カバー
１７  窓部材
Ｗ１  Ｗ２  窓部
１７１  遮光部
Ｌ  照明装置
Ｏ  作業者
【図１】
0003200814.tif 000003
【図２】
0003200814.tif 000004
【図３】
0003200814.tif 000005
【図４】
0003200814.tif 000006
【図５】
0003200814.tif 000007